(57)【要約】【課題】双方の位置決め作業が容易であり、嵌合作業性の向上を図ることができるグロメットの組み付け方法及び組み付け治具を提供する。【解決手段】本発明のグロメットの組み付け方法及び組み付け治具は、切欠開口部１６，１９に対応した切欠凹部１０１と、箱本体側固定部２０に対応し、グロメット側固定部５２を案内するガイド部１０２とを備えたグロメット組付け治具１００上に、第１分割体４１を切欠凹部１０１に装着する。次に、第１分割体４１上にワイヤハーネス７０を配してから、第２分割体４２のグロメット側固定部５２をガイド部１０２に案内させながら第２分割体４２を第１分割体４１上に嵌合させてワイヤハーネス７０を挿通したグロメット４０を作成する。【選択図】    図１
2004201391.tif 000002
【特許請求の範囲】
【請求項１】
切欠開口部に当接するシール部を有する第１分割体と、ワイヤハーネス挿通用の切欠開口部の端部に設けられた箱本体側固定部に固定されるグロメット側固定部を有する第２分割体とよりなり、ワイヤハーネスが挿通される２部品構成のグロメットの組み付け方法であって、
前記切欠開口部に対応した切欠凹部と、前記箱本体側固定部に対応し、前記グロメット側固定部を案内するガイド部とを備えたグロメット組付け治具上に、前記第１分割体を前記切欠凹部に装着し、前記第１分割体上に前記ワイヤハーネスを配してから、
前記第２分割体の前記グロメット側固定部を前記ガイド部に案内させながら前記第２分割体を前記第１分割体上に嵌合させることを特徴とするグロメットの組み付け方法。
【請求項２】
切欠開口部に当接するシール部を有する第１分割体と、ワイヤハーネス挿通用の切欠開口部の端部に設けられた箱本体側固定部に固定されるグロメット側固定部を有する第２分割体とよりなる２部品構成のグロメットを組み付けるグロメットの組み付け治具であって、
前記切欠開口部に対応した切欠凹部と、前記箱本体側固定部に対応し、前記グロメット側固定部を案内するガイド部とを備え、前記第１分割体を前記切欠凹部に装着し、前記第１分割体上に前記ワイヤハーネスを配してから、前記第２分割体の前記グロメット側固定部を前記ガイド部に案内させながら前記第２分割体を前記第１分割体上に嵌合させることを特徴とするグロメットの組み付け治具。
【発明の詳細な説明】
【０００１】
【発明の属する技術分野】
本発明は、例えば、制御ユニット等を内部に収容した防水箱からワイヤハーネスを外部に引き出すのに用いられるグロメットの組み付け方法及び組み付け治具に関する。
【０００２】
【従来の技術】
従来の防水箱に用いられるグロメットとして、例えば、特許文献１に開示されているものが知られている。図８（ａ），（ｂ）に示すように、従来のグロメット８０は、グロメット本体８１の蛇腹状胴部８２の中間部に、第２厚肉周壁部８３を形成し、第２厚肉周壁部８３の周上に、剛性板に対する嵌合部としての嵌着溝８４とガイド突条８５とを形成してある。
第２厚肉周壁部８３は、下半分８５を半円状、上半分８６を矩形状に形成している。また、先端側の第１厚肉周壁部８７も同様の形状で一回り大きく形成され、その内周には、剛性部材に対する嵌合溝８８を形成してある。第１厚肉周壁部８７の外周部には、上端リップ８９が形成してある。
【０００３】
このようなグロメット８０では、グロメット本体８１の先端側の第１厚肉周壁部８７の内周上に剛性部材が嵌着され、その係止爪を下ケースの係止枠部に挿入係止させ、第１厚肉周壁部８７のスライド用突条９０とスライド用周溝９１とを下ケースのガイド溝とガイド突条とを嵌合している。第１厚肉周壁部８７の上側には、上端リップ８９に対するパッキンを有する上ケースを覆設する。
また、中間側の第２厚肉周壁部８３の嵌着溝８４とガイド突条と嵌合溝とを嵌め合わせ、下側剛性板の係止爪を遮熱板等の壁板の係止枠部に挿入係止している。上側剛性板の係合板には、上壁を嵌め込んで固定する。
【０００４】
【特許文献１】
実開平３−１２６３１５号公報
【０００５】
【発明が解決しようとする課題】
しかしながら、上記グロメットの場合、２部品構成の剛性部材を双方位置決めしてから嵌合作業に移る必要があり、嵌合作業性が悪いという問題があった。
【０００６】
本発明は、上記課題を解決するためになされたものであり、その目的は、双方の位置決め作業が容易であり、嵌合作業性の向上を図ることができるグロメットの組み付け方法及び組み付け治具を提供することにある。
【０００７】
【課題を解決するための手段】
前述した目的を達成するために、本発明は請求項１に記載したように、切欠開口部に当接するシール部を有する第１分割体と、ワイヤハーネス挿通用の切欠開口部の端部に設けられた箱本体側固定部に固定されるグロメット側固定部を有する第２分割体とよりなり、ワイヤハーネスが挿通される２部品構成のグロメットの組み付け方法であって、前記切欠開口部に対応した切欠凹部と、前記箱本体側固定部に対応し、前記グロメット側固定部を案内するガイド部とを備えたグロメット組付け治具上に、前記第１分割体を前記切欠凹部に装着し、前記第１分割体上に前記ワイヤハーネスを配してから、前記第２分割体の前記グロメット側固定部を前記ガイド部に案内させながら前記第２分割体を前記第１分割体上に嵌合させることを特徴とする。
【０００８】
また、本発明は請求項２に記載したように、切欠開口部に当接するシール部を有する第１分割体と、ワイヤハーネス挿通用の切欠開口部の端部に設けられた箱本体側固定部に固定されるグロメット側固定部を有する第２分割体とよりなる２部品構成のグロメットを組み付けるグロメットの組み付け治具であって、前記切欠開口部に対応した切欠凹部と、前記箱本体側固定部に対応し、前記グロメット側固定部を案内するガイド部とを備え、前記第１分割体を前記切欠凹部に装着し、前記第１分割体上に前記ワイヤハーネスを配してから、前記第２分割体の前記グロメット側固定部を前記ガイド部に案内させながら前記第２分割体を前記第１分割体上に嵌合させることを特徴とする。
【０００９】
このように構成されたグロメットの組み付け方法及び組み付け治具によれば、グロメット組付け治具がグロメット側固定部を案内するガイド部を備えているので、前記治具に対して第１分割体を装着してから、第２分割体のグロメット側固定部をガイド部に案内させながら第１分割体上に嵌合させることで容易に嵌合作業を行うことができる。
従って、上方から嵌合する第２分割体の下面側に形成される係止手段が目視できなくても第１分割体上に正確に位置決めできるので、嵌合作業性の著しい向上を図ることができる。
【００１０】
【発明の実施の形態】
以下、本発明のグロメットの組み付け方法及び組み付け治具の一実施形態を図１乃至図７に基づいて詳細に説明する。図１は本発明の一実施形態のグロメットの組み付け方法を説明する各部品の外観斜視図、図２は図１に示すグロメットの組み付け方法により得られたグロメットの外観斜視図、図３は図２に示すグロメットの各部品の組付関係を説明する外観斜視図、図４は図２に示す防水箱の縦断面図、図５は図２に示すグロメットの第１分割体の単体外観斜視図、図６は図２に示すグロメットの第２分割体の単体外観斜視図、図７は図６に示す第２分割体を下方から見た外観斜視図である。
【００１１】
図１に示すように、本実施形態のグロメット４０は、箱本体１０（図２参照）に形成された切欠開口部１６，１９（図３参照）に当接する防水リブ（シール部）５０を備えた第１分割体４１と、ワイヤハーネス７０挿通用の切欠開口部１６，１９の端部に設けられた箱本体側固定部２０，２０（図３参照）に固定されるグロメット側固定部５２，５２，５２，５２を備えた第２分割体４２とより構成されている。
【００１２】
本実施形態のグロメットの組み付け方法は、ワイヤハーネス７０が挿通される２部品構成のグロメット４０の組み付け方法であって、切欠開口部１６，１９に対応した切欠凹部１０１，１０１と、箱本体側固定部２０，２０に対応し、グロメット側固定部５２，５２，５２，５２を案内するガイド部１０２，１０２，１０２，１０２とを備えたグロメット組付け治具１００が組み付け作業台上に設置されている。
【００１３】
このグロメット組付け治具１００上に、第１分割体４１を切欠凹部１０１に装着し、第１分割体４１上にワイヤハーネス７０を配してから、第２分割体４２のグロメット側固定部５２，５２，５２，５２をガイド部１０２，１０２，１０２，１０２に案内させながら第２分割体４２を第１分割体４１上に嵌合させてワイヤハーネス７０を挿通したグロメット４０を作成する。
【００１４】
グロメット組付け治具１００は、四角形の筒状をなすベース１０３に有する一対の側板１０４，１０４に、その上端部から略半円形状に凹んで切除された切欠凹部１０１，１０１が形成されている。切欠凹部１０１，１０１は、図３に示す箱本体１０のグロメット取付部１４に形成された切欠開口部１６，１９に対応している。そして、側板１０４，１０４の上端縁において切欠凹部１０１，１０１の両側に、２対のガイド部１０２，１０２，１０２，１０２が突設されている。
【００１５】
ガイド部１０２，１０２，１０２，１０２は、第２分割体４２に有する第２分割体本体４５の四隅において突出されたグロメット側固定部５２，５２，５２，５２に対応している。このグロメット側固定部５２，５２，５２，５２と第２分割体本体４５との間に形成された各空隙部６０，６０，６０，６０に挿通されることにより、ワイヤハーネス７０を上部に配していて切欠凹部１０１，１０１に位置決めされている第１分割体４１上に位置決めされる。
そして、第２分割体本体４５に形成された係止突起５４，５４が第１分割体４１に有する第１分割体本体４３に形成された係合孔４８，４８に係止されることによって、第１分割体４１と第２分割体４２とが一体的に組み付けられる。
【００１６】
図２〜４に示すように、グロメット４０が用いられる防水箱１は、箱本体１０と、蓋体３０とから構成されている。箱本体１０は、底板１１と、周壁１２と、外側板１３とを備えている。
周壁１２の一部には、グロメット取付部１４の一部を構成する隔板１５，切欠開口部１６が形成されている。隔板１５は、周壁１２の端部に段部を介して下がった位置に配されている。切欠開口部１６は、隔板１５の中央部において半円形状に切除されて形成されている。
また、隔板１５における切欠開口部１６の両側部分に、一対の箱本体側固定部（図示しない）が突設されている。
【００１７】
外側板１３は、周壁１２の外周側に弾性圧接部１７を介して配されており、外側板１３の一部には、グロメット取付部１４の他の一部を構成する隔板１８，切欠開口部１９が形成されている。また、隔板１８における切欠開口部１９の両側部分には、一対の箱本体側固定部２０，２０が突設されている。弾性圧接部１７には、無端状をなす弾性シール部２１が圧接される。
【００１８】
図２に示すように、蓋体３０には、天板３１の外縁部に、箱本体１０の外側板１３の外周部に被着される鍔部３２が形成されている。また、鍔部３２の内周側に、蓋体３０の下面３３から箱本体１０に向けて２重の円形状に突出された弾性シール嵌着部３４が形成されている。
弾性シール嵌着部３４には、弾性シール部２１が装着されるため、蓋体３０が箱本体１０に対して被嵌されることによって、弾性シール部２１が箱本体１０の弾性圧接部１７に圧接されて弾性変形される。
【００１９】
そして、蓋体３０のグロメット取付部１４に対応した部分には、下面３３から箱本体１０に向けて棒状をなして突出した一対の押圧突起３５，３５が形成されている。押圧突起３５，３５は、グロメット４０の第２分割体４２に備えた第２シール部４６の防水リブ５９，５９に対応して配されている。
また、押圧突起３５，３５の先端部には、蓋体３０が箱本体１０に被嵌される際に第２シール部４６の上部に衝突しないようにするためのテーパ面３６，３６が内面に形成されている。
【００２０】
図４に示すように、グロメット４０を構成する第１分割体４１は、第１分割体本体４３と、第１シール部４４とから構成されている。第１分割体本体４３は、全体が略Ｉ字状の板形状に形成されている。
第１分割体本体４３の上面において中央部には、箱本体１０のグロメット当接面２２に対応して半円形に湾曲したハーネス支持部４７が形成されている。また、ハーネス支持部４７の両側には、四角形の孔状にされた一対の係合孔４８，４８が形成されている。
【００２１】
第１シール部４４は、全体が略Ｔ字状の板形状に形成されている。第１シール部４４は、Ｔ字状をなすうちの頂部をなす部分が本体結合部４９になっているため、第１分割体本体４３の下面に一体的に嵌着されている。この本体結合部４９の外周面には、３個の防水リブ５０，５０，５０が突設されている。
また、第１シール部４４には、第１分割体本体４３のハーネス支持部４７に対応した中央部からハーネス結束部５１が突出形成されている。
【００２２】
図６及び図７に示すように、グロメット４０を構成する第２分割体４２は、第２分割体本体４５と、第２シール部４６とから構成されている。
第２分割体本体４５は、略Ｔ字状の板形状に形成されている。第２分割体本体４５の四隅には、ロ字状をなすグロメット側固定部５２，５２，５２，５２が下方に向けて突出形成されている。
各グロメット側固定部５２は、箱本体１０のグロメット取付部１４に設けられた各箱本体側固定部２０に嵌着されることによって、グロメット４０を箱本体１０に固定するのに用いられる。
【００２３】
また、第２分割体本体４５の下面には、第１シール部４４のハーネス支持部４７に対向するハーネス支持部５３が突出形成されているとともに、第１分割体本体４３の一対の係合孔４８，４８に対応した一対の係止突起５４，５４が突出形成されている。この係止突起５４，５４は、第２分割体４２を第１分割体４１に合体する際に、第１分割体本体４３の係合孔４８，４８に係止されて両分割体４２，４１を結合させるのに用いられる。
第２分割体本体４５には、第１シール部４４のハーネス結束部５１に対応したハーネス結束部５５が突出形成されている。
また、第２分割体本体４５の側部には、第１シール部４４の防水リブ５０，５０，５０に対応した３個のリブ突起５６，５６，５６が２対形成されている。
【００２４】
第２シール部４６は、略Ｉ字状の板形状に形成された基部５７の両端部に、基部５７よりも板厚が小さい薄板部５８，５８が形成されている。また、薄板部５８，５８の中央部に上下方向に長さをもち、グロメット４０の装着方向に延設された防水リブ５９，５９が形成されている。
また、第２シール部４６は、第２分割体本体４５の上面において、箱本体１０の周壁１２側に対応した図５中の手前側に固定されている。そのため、第２分割体４２の各グロメット側固定部５２が箱本体１０のグロメット取付部１４に設けられた各箱本体側固定部２０に嵌着されてグロメット４０が箱本体１０に固定される際に、防水リブ５９，５９が箱本体１０の周壁１２に当接する。これにより、薄板部５８，５８が周壁１２から離れる方向に弾性変形して、防水リブ５９，５９を周壁１２に必要以上に押圧しないようにし、グロメット４０の組付けがスムースに行われるようにする。
【００２５】
そして、蓋体３０の箱本体１０への被嵌が進行した際に、蓋体３０に設けられた押圧突起３５，３５のテーパ面３６，３６が第２シール部４６の薄板部５８，５８に衝突する。これにより、押圧突起３５，３５が薄板部５８，５８に直接衝突しないようにしつつ、押圧突起３５，３５が薄板部５８，５８の後側に挿入され、薄板部５８，５８を介して防水リブ５９，５９を周壁１２に圧接させ、グロメット取付部１４の周壁１２部分における防水性を図る。
【００２６】
上述したグロメットの組み付け方法及び組み付け治具によれば、組付け治具１００上に第１分割体４１を切欠凹部１０１に装着し、第１分割体４１上にワイヤハーネス７０を配してから、第２分割体４２のグロメット側固定部５２，５２，５２，５２をガイド部１０２に案内させながら第２分割体４２を第１分割体４１上に嵌合させて作成する。従って、位置決め精度の向上が図られるとともに、極めて簡単な組み付けにより、熟練を必要とせずに工数の減少を図ることができる。
【００２７】
なお、本発明のグロメットの組み付け方法及び組み付け治具は、前述した実施形態に限定されるものではなく、適宜な変形、改良が可能である。
例えば、前述した実施形態では、ガイド部１０２が４本設けられていたが少なくとも２本でも十分効果を得ることができる。
その他、前述した実施形態において例示したワイヤーハーネス、第１分割体および第２分割体の形状、寸法、形態、数、配置箇所等は本発明を達成できるものであれば任意であり、限定されない。
【００２８】
【発明の効果】
以上説明したように本発明のグロメットの組み付け方法及び組み付け治具によれば、切欠開口部に対応した切欠凹部と、箱本体側固定部に対応し、グロメット側固定部を案内するガイド部とを備えたグロメット組付け治具上に、第１分割体を切欠凹部に装着し、第１分割体上にワイヤハーネスを配してから、第２分割体のグロメット側固定部をガイド部に案内させながら第２分割体を第１分割体上に嵌合させる。
従って、グロメット組付け治具がグロメット側固定部を案内するガイド部を備えているので、治具に対して第１分割体を装着してから、第２分割体のグロメット側固定部をガイド部に案内させながら第１分割体上に嵌合させることで容易に嵌合作業を行うことができる。よって、上方から嵌合する第２分割体の下面側に形成される係止手段が目視できなくても第１分割体上に正確に位置決めできるので、嵌合作業性の著しい向上を図ることができる。
【図面の簡単な説明】
【図１】本発明の一実施形態のグロメットの組み付け方法を説明する各部品の外観斜視図である。
【図２】図１に示すグロメットの組み付け方法により得られたグロメットの外観斜視図である。
【図３】図２に示すグロメットにおける各部品の組付関係を説明する外観斜視図である。
【図４】図２に示す防水箱の縦断面図である。
【図５】図２に示すグロメットの第１分割体の単体外観斜視図である。
【図６】図２に示すグロメットの第２分割体の単体外観斜視図である。
【図７】図６に示す第２分割体を下方から見た外観斜視図である。
【図８】従来のグロメット構成を示す説明図である。
【符号の説明】
１    防水箱
１０    箱本体
１２    周壁
１６，１９    切欠開口部
２０    箱本体側固定部
３０    蓋体
３５    押圧突起
３６    テーパ面
４０    グロメット
４１    第１分割体
４２    第２分割体
４４    第１シール部
４６    第２シール部（シール部）
５２    グロメット側固定部
５９    防水リブ
１００  グロメット組付け治具
１０１  切欠凹部
１０２  ガイド部
【図１】
2004201391.tif 000003
【図２】
2004201391.tif 000004
【図３】
2004201391.tif 000005
【図４】
2004201391.tif 000006
【図５】
2004201391.tif 000007
【図６】
2004201391.tif 000008
【図７】
2004201391.tif 000009
【図８】
2004201391.tif 000010